【手続補正書】
【提出日】平成18年2月23日(2006.2.23)
【手続補正１】
【補正対象書類名】明細書
【補正対象項目名】特許請求の範囲
【補正方法】変更
【補正の内容】
【特許請求の範囲】
【請求項１】  印刷出力装置と書き換え機能を有するリライタブル印刷出力装置とを接続してなる印刷システムの印刷方法であって、
印刷出力装置は所定の印刷条件に基づいて作成された印刷画像の試し印刷を行う際に、前記印刷画像をリライタブル印刷出力装置に送信すると共に、第１の格納部に格納し、
リライタブル印刷出力装置は受信した印刷画像をリライタブル用紙に試し印刷し、
前記印刷出力装置は試し印刷後に本印刷の指示があったとき印刷画像を印刷することを特徴とする印刷システムの印刷方法。
【請求項２】  前記印刷出力装置は、前記印刷画像を第１の格納部に格納する際に、第１の格納部における印刷画像の頁ごとの格納場所を示す情報を第２の格納部に格納し、
試し印刷をやり直す頁について印刷画像が作成された場合に、
やり直す頁の印刷画像の前記第１の格納部における格納場所を前記第２の格納部に格納した情報から取得し、作成された印刷画像と格納された印刷画像とを置き換え、
前記リライタブル印刷出力装置に印刷画像の試し印刷を指示することを特徴とする請求項１に記載の印刷システムの印刷方法。
【請求項３】  前記試し印刷をやり直す頁について印刷画像が作成された際に、印刷条件が再設定されることを特徴とする請求項２に記載の印刷システムの印刷方法。
【請求項４】  前記試し印刷をやり直す頁について作成された印刷画像は、新たな印刷画像であることを特徴とする請求項２に記載の印刷システムの印刷方法。
【請求項５】  前記所定の印刷条件に基づいて作成された印刷画像は印刷出力装置にて作成されることを特徴とする請求項１から４のいずれか１項に記載の印刷システムの印刷方法。
【請求項６】  前記印刷システムは情報処理装置をさらに備え、
前記所定の印刷条件に基づいて作成された印刷画像は前記情報処理装置にて作成されることを特徴とする請求項１から４のいずれか１項に記載の印刷システムの印刷方法。
【請求項７】  前記情報処理装置または前記印刷出力装置のうちの少なくとも１つの装置は、再設定された印刷条件に基づいて印刷画像が作成された際に、再設定条件を識別するための識別情報を付加し、
再設定される前の印刷条件の内容を一覧表にし、この一覧表に再設定された印刷条件の内容と識別情報を付加し、前記リライタブル印刷装置により一覧表を印刷することを特徴とする請求項３に記載の印刷システムの印刷方法。
【請求項８】  前記情報処理装置または前記印刷出力装置のうちの少なくとも１つの装置は、前記印刷条件が設定された際に画像内容と無関係な印刷条件を示す図や文字列を印刷画像に合成描画し、この合成描画された印刷画像をリライタブル印刷出力装置で印刷することを特徴とする請求項１から７のいずれか１項に記載の印刷システムの印刷方法。
【請求項９】  前記画像内容と無関係な印刷条件は、両面印刷、パンチ、ステープルのうちの少なくとも１つを備えることを特徴とする請求項８記載の印刷システムの印刷方法。
【請求項１０】  前記情報処理装置または前記印刷出力装置のうちの少なくとも１つの装置は、前記印刷条件が設定された際、用紙の第１の面および第２の面に印刷を行う両面印刷、且つパンチ、又は両面印刷、且つステープルの組み合わせを基にして、
第１の面に相当する第１の頁でパンチ又はステープルを用紙上の位置に配置し、それを示す図や文字列を印刷画像に合成描画すると共に、
第２の面に相当する第２の頁では、前記第１の頁の位置と対称となる位置にパンチ又はステープルを配置し、それを示す図や文字列を印刷画像に合成描画し、
この合成描画された印刷画像をリライタブル印刷出力装置で印刷することを特徴とする請求項１から９のいずれか１項に記載の印刷システムの印刷方法。
【請求項１１】  所定の印刷条件に基づいて作成された印刷画像の試し印刷を行う際に、前記印刷画像をリライタブル印刷出力手段に送信すると共に、第１の格納部に格納し、本印刷の指示があったとき印刷画像を印刷する印刷出力装置と、
受信した印刷画像をリライタブル用紙に試し印刷するリライタブル印刷出力装置とを接続したことを特徴とする印刷システム。
【請求項１２】  前記印刷画像を第１の格納部に格納する第１の格納手段と、
第１の格納部における印刷画像の頁ごとの格納場所を示す情報を第２の格納部に格納する第２の格納手段と、
試し印刷をやり直す頁について印刷画像が作成された場合に、やり直す頁の印刷画像の前記第１の格納部における格納場所を前記第２の格納部に格納した情報から取得し、作成された印刷画像と格納された印刷画像とを置き換え、前記リライタブル印刷出力装置に印刷画像の試し印刷を指示する制御手段とを設けたことを特徴とする請求項１１に記載の印刷システム。
【請求項１３】  前記試し印刷をやり直す頁について印刷画像が作成された際に、印刷条件が再設定されることを特徴とする請求項１２記載の印刷システム。
【請求項１４】  前記試し印刷をやり直す頁について作成された印刷画像は、新たな印刷画像であることを特徴とする請求項１２に記載の印刷システム。
【請求項１５】  前記所定の印刷条件に基づいて作成された印刷画像は印刷出力装置にて作成されることを特徴とする請求項１１から１４のいずれか１項に記載の印刷システム。
【請求項１６】  前記印刷システムは、情報処理装置をさらに備え、前記所定の印刷条件に基づいて作成された印刷画像は前記情報処理装置にて作成されることを特徴とする請求項１１から１４のいずれか１項に記載の印刷システム。
【請求項１７】 前記情報処理装置または前記印刷出力装置のうちの少なくとも１つの装置は、再設定された印刷条件に基づいて印刷画像が作成された際に、再設定条件を識別するための識別情報を付加し、
再設定される前の印刷条件の内容を一覧表にし、この一覧表に再設定された印刷条件の内容と識別情報を付加する制御手段を設け、前記リライタブル印刷装置は、一覧表を印刷することを特徴とする請求項１３に記載の印刷システム。
【請求項１８】  前記情報処理装置または前記印刷出力装置のうちの少なくとも１つの装置は、前記印刷条件が設定された際に画像内容と無関係な印刷条件を示す図や文字列を印刷画像に合成描画する制御手段を設け、リライタブル印刷出力装置は、この合成描画された印刷画像を印刷することを特徴とする請求項１１から１７のいずれか１項に記載の印刷システム。
【請求項１９】  前記画像内容と無関係な印刷条件は、両面印刷、パンチ、ステープルのうちの少なくとも１つを備えることを特徴とする請求項１８記載の印刷システム。
【請求項２０】  前記情報処理装置または前記印刷出力装置のうちの少なくとも１つの装置は、前記印刷条件が設定された際に、用紙の第１の面および第２の面に印刷を行う両面印刷、且つ、パンチ、又は両面印刷、且つ、ステープルの組み合わせを基にして、
第１の面に相当する第１の頁でパンチ又はステープルを用紙上の位置に配置し、それを示す図や文字列を印刷画像に合成描画すると共に、
第２の面に相当する第２の頁では、前記第１の頁の位置と対称となる位置にパンチ又はステープルを配置し、それを示す図や文字列を印刷画像に合成描画する制御手段を設け、
リライタブル印刷出力装置は、この合成描画された印刷画像を印刷することを特徴とする請求項１１から１９のいずれか１項に記載の印刷システム。
【手続補正２】
【補正対象書類名】明細書
【補正対象項目名】０００８
【補正方法】変更
【補正の内容】
【０００８】
【課題を解決するための手段】
上記の目的を達成するために本発明による印刷システムの印刷方法は印刷出力装置と書き換え機能を有するリライタブル印刷出力装置とを接続してなる印刷システムの印刷方法であって、印刷出力装置は所定の印刷条件に基づいて作成された印刷画像の試し印刷を行う際に、前記印刷画像をリライタブル印刷出力装置に送信すると共に、第１の格納部に格納し、リライタブル印刷出力装置は受信した印刷画像をリライタブル用紙に試し印刷し、印刷出力装置は試し印刷後に本印刷の指示があったとき印刷画像を印刷することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、本発明による印刷システムは、所定の印刷条件に基づいて作成された印刷画像の試し印刷を行う際に、前記印刷画像をリライタブル印刷出力手段に送信すると共に、第１の格納部に格納し、本印刷の指示があったとき印刷画像を印刷する印刷出力装置と、受信した印刷画像をリライタブル用紙に試し印刷するリライタブル印刷出力装置とを接続したことを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１６
【補正方法】変更
【補正の内容】
【００１６】
画像バッファ１７は印刷画像４の元となる出力内容１２を形成するための作業場所である。プリンタドライバ７は印刷条件１１を設定するためのユーザとのインターフェースの役割を果たすソフトウェアである。ＣＰＵ１９は、制御プログラム１８の制御により各装置へコマンドを出す。
【手続補正７】
【補正対象書類名】明細書
【補正対象項目名】００１７
【補正方法】変更
【補正の内容】
【００１７】
図２は本発明の第１の実施の形態によるシステムの構成とデータの流れを示すブロック図である。図３は動作を示すフローチャートである。
【手続補正８】
【補正対象書類名】明細書
【補正対象項目名】００２４
【補正方法】変更
【補正の内容】
【００２４】
通常では、従来の出力装置２又はパソコン６から印刷開始を指示するが、リライタブルペーパー出力装置１と従来の出力装置２又はパソコン６が離れている場合は、ユーザは従来の出力装置２又はパソコン６の所へ移動してから本印刷実行を指示しなければならず、操作が煩わしい上に作業効率が悪くなる。
さらに、パソコン６と接続していない従来の出力装置２内にハードディスク８がなければ、印刷画像４が残らないので、ユーザは従来の出力装置２に戻って、オリジナル書類をコピーのスキャン部にセットし直す必要があり手間がかかる。
【手続補正９】
【補正対象書類名】明細書
【補正対象項目名】００２９
【補正方法】変更
【補正の内容】
【００２９】
第２の実施の形態について図４及び図５のフローチャートと共に説明する。
まず、パソコン６（又は従来の出力装置２でもよいが、ここではパソコン６で説明する）で印刷する文書を指定してプリンタドライバ７で印刷条件１１を設定する（Ｓ１０）。次に、印刷条件１１に基づき出力内容１２を形成して画像バッファ１７に格納する（Ｓ１１）。次に、画像バッファ１７の内容と印刷条件１１を従来の出力装置２へ送る（Ｓ１２）。ここまでは図４の＜Ｂ１＞に当たる。
【手続補正１０】
【補正対象書類名】明細書
【補正対象項目名】００３３
【補正方法】変更
【補正の内容】
【００３３】
この場合は処理のやり直しなので（Ｓ１３、Ｙｅｓ）、ハードディスク８においてやり直す頁の印刷画像４が入っている記録場所１３をメモリ１４から取得する（Ｓ１８）。図４の＜Ｂ５＞に当たる。同じ記録場所１３において変更前の印刷画像４を変更後（印刷条件再設定後）の新たな印刷画像４Ｎと置き換える（Ｓ１９）。これは図４の＜Ｂ６＞＜Ｂ７＞に当たる。
【手続補正１１】
【補正対象書類名】明細書
【補正対象項目名】００３４
【補正方法】変更
【補正の内容】
【００３４】
以降は、新たな印刷画像４Ｎについて再び試し印刷が行われ、その印刷画像が正常であれば、従来の出力装置２により新たな印刷画像４Ｎの本印刷が用紙５に行われる。試し印刷画像に異常があれば、Ｓ１０に戻る。この再処理は図４の、＜Ｂ８＞に当たる。
【手続補正１２】
【補正対象書類名】明細書
【補正対象項目名】００３７
【補正方法】変更
【補正の内容】
【００３７】
第３の実施の形態について図６及び図７のフローチャートと共に説明する。
まず、パソコン６内で印刷する文書を指定してプリンタドライバ７で印刷条件１１を設定しメモリ１４に格納する。従来の出力装置２を用いる場合は、操作パネルで印刷条件１１を設定し、メモリ１４に格納する（Ｓ２０、図６の＜Ｃ２＞）。
【手続補正１３】
【補正対象書類名】明細書
【補正対象項目名】００４３
【補正方法】変更
【補正の内容】
【００４３】
印刷画像４をリライタブルペーパー出力装置１に送信して印刷する（Ｓ２８、図６の＜Ｃ１０＞）。処理のやり直しなのでＳ２９での判断はＹｅｓとなり、Ｓ３３へ進む（Ｓ２９）。変更前の印刷条件１１の項目と値をメモリ１４から取得し、一覧表１６を形成して画像バッファ１７に格納する（Ｓ３３）。次に変更後の印刷条件１１Ａの項目と値及び確認番号１５をメモリ１４から取得し、画像バッファ１７の一覧表１６に付加する（Ｓ３４、 図６の＜Ｃ１１＞）。
【手続補正１４】
【補正対象書類名】明細書
【補正対象項目名】００４７
【補正方法】変更
【補正の内容】
【００４７】
第４の実施の形態は上記の問題を解決するものである。
前述した各フローチャートにおいて、第１の実施の形態における図３のＳ２、第２の実施の形態における図５のＳ１１、第３の実施の形態における図７のＳ２３による、印刷条件１１に基づき出力内容１２を形成して画像バッファ１７に格納する処理の中で、出力内容１２の形成の際、両面、パンチ、ステープル等、画像内容とは無関係な印刷条件２０が設定されていたら、その印刷条件２０を示す文字列や図２１（図９〜図１３）を割り当て、メモリ１４から取得し、出力内容１２に合成する形で形成し、画像バッファ１７に格納する。
【手続補正１５】
【補正対象書類名】明細書
【補正対象項目名】００５１
【補正方法】変更
【補正の内容】
【００５１】
次に、上記の問題を解決するための第５の実施の形態を説明する。
前述した各フローチャートで、図３のＳ２、図５のＳ１１、図７のＳ２３による処理の中で、印刷条件１１を両面印刷且つパンチ、又はステープルが左右上下のうち、どれか１つ位置に配置されたかを取得しメモリ１４に格納する。頁が奇数頁だった場合、奇数頁の印刷条件１１と位置をメモリ１４から取得し、パンチ又はステープルの配置を示す図や文字列２１を、画像バッファ１７の印刷画像４合成描画する。